(57)【要約】【課題】ロック解除機構に起因するコネクタハウジングの肥大化を抑止してコンパクトなロックコネクタを提供する。【解決手段】一方のコネクタハウジング４が可撓性のロックアーム３を有し、他方のコネクタハウジング１０がロックアームに係合するロック部１１を有するロックコネクタ８１で、一方のコネクタハウジング４にロック解除用のスライダ５を装着し、スライダがコネクタ離脱方向の後退時にロックアーム３をロック解除方向に撓ませるロック解除部１９を有する。ロック解除部１９がロックアーム３に押接するロックアーム撓ませ方向の傾斜面２０ａを有する。ロック解除部１９を可撓性のロック解除アーム３７に設け、ロック解除部がロックアーム３を乗り越えてロックアームの前側に位置する。【選択図】図１
2006216434.tif 000002
【特許請求の範囲】
【請求項１】
一方のコネクタハウジングが可撓性のロックアームを有し、他方のコネクタハウジングが該ロックアームに係合するロック部を有するロックコネクタにおいて、
前記一方のコネクタハウジングにロック解除用のスライダが装着され、該スライダがコネクタ離脱方向の後退時に前記ロックアームをロック解除方向に撓ませるロック解除部を有することを特徴とするロックコネクタ。
【請求項２】
前記ロック解除部が前記ロックアームに押接するロックアーム撓ませ方向の傾斜面を有することを特徴とする請求項１記載のロックコネクタ。
【請求項３】
前記ロック解除部が可撓性のロック解除アームに設けられ、該ロック解除部が前記ロックアームを乗り越えて該ロックアームの前側に位置することを特徴とする請求項１又は２記載のロックコネクタ。
【請求項４】
前記スライダの前記ロック解除部が前記ロックアームの側方に位置して該ロックアームを側方に撓ませ可能であることを特徴とする請求項１〜３の何れかに記載のロックコネクタ。
【請求項５】
前記ロック解除部が可撓性のロック解除アームに設けられ、該ロック解除アームが前記ロックアームのロック解除撓み反対側に入り込んで、該ロック解除部が該ロックアームの前側に位置することを特徴とする請求項１又は２記載のロックコネクタ。
【請求項６】
前記スライダが復帰用の弾性部材を有し、該スライダの後退時に前記一方のコネクタハウジングの突起に該弾性部材が押接することを特徴とする請求項１〜５の何れかに記載のロックコネクタ。
【請求項７】
前記弾性部材が弾性アームであり、前記スライダの後退時に前記突起の前側の傾斜面に該弾性アームが押接することを特徴とする請求項６記載のロックコネクタ。
【請求項８】
前記スライダが前記一方のコネクタハウジングの外周を覆う部材であることを特徴とする請求項１〜７の何れかに記載のロックコネクタ。
【発明の詳細な説明】
【技術分野】
【０００１】
本発明は、雄・雌両コネクタの嵌合時のロックを解除するスライダを備えるロックコネクタに関するものである。
【背景技術】
【０００２】
図１６は、従来のロックコネクタの一形態として雄・雌両コネクタの嵌合状態を示すものである（例えば特許文献１等参照）。
【０００３】
各コネクタは少なくとも合成樹脂製のコネクタハウジング６１，６２と、コネクタハウジング内に装着される電線付き端子（図示せず）とで構成される。
【０００４】
一方のコネクタハウジング６１は、外側のフード部７０と内側のインナハウジング６３とを有し、インナハウジング６３は端子収容部として作用し、後半に各端子ごとの筒状部６４を有し、各筒状部内には、電線付き雌端子の電線の外周面に密着する環状の防水ゴム栓（図示せず）が挿入される。
【０００５】
フード部７０に可撓性のロックアーム６５が設けられ、他方のコネクタハウジング６２に、ロックアーム６５の前端部６７内に係合するロック突起６６が設けられている。ロックアーム６５は長手方向中間部を支持壁７１でコネクタハウジング６１にシーソー式に支持されている。図１６の両コネクタの完全嵌合状態においてロックアーム６５の前端側の凹部にロック突起６６が係合している。ロックの解除はロックアーム６５の後端側の操作部６８を押し下げることで行われる。
【０００６】
他方のコネクタハウジング６２には電線付きの雄端子（図示せず）が収容され、雄端子の前半のタブ状接触部がフード部６９内に突出し、両コネクタハウジング６１，６２の嵌合と同時に雄・雌両端子が接続される。
【特許文献１】特開平１０−２５５８９７号公報（図３）
【発明の開示】
【発明が解決しようとする課題】
【０００７】
しかしながら、上記従来のロックコネクタにあっては、ロック解除時にロックアーム６５の撓みスペースを大きく必要とする関係で、コネクタハウジング６１が高さ方向に肥大化するという問題があった。また、ロックアーム６５の撓み操作部６８が後方へ長く突出しているために、ロック構造すなわちコネクタハウジング６１が奥行き方向に肥大化するという問題もあった。
【０００８】
本発明は、上記した点に鑑み、ロック解除機構に起因するコネクタハウジングの肥大化を抑止してコンパクトなロックコネクタを提供することを目的とする。
【課題を解決するための手段】
【０００９】
上記目的を達成するために、本発明の請求項１に係るロックコネクタは、一方のコネクタハウジングが可撓性のロックアームを有し、他方のコネクタハウジングが該ロックアームに係合するロック部を有するロックコネクタにおいて、前記一方のコネクタハウジングにロック解除用のスライダが装着され、該スライダがコネクタ離脱方向の後退時に前記ロックアームをロック解除方向に撓ませるロック解除部を有することを特徴とする。
【００１０】
上記構成により、一方のコネクタハウジングにロック解除用のスライダが装着され、一方のコネクタハウジングと他方のコネクタハウジングとが嵌合され、それと同時に両コネクタハウジング内の端子が接続され、ロックアームにロック部が係合して両コネクタハウジングがロックされ、スライダをコネクタハウジングに沿ってスライド式に後退させることで、スライダのロック解除部がロックアームをロック解除方向（外向き）に撓ませてロック部との係合を解除させ、両コネクタハウジングのロックが解除される。従来のロックコネクタに較べてスライダでロックアームをロック解除方向に撓ませるから、従来のロックアームの撓み操作部が不要となる。
【００１１】
請求項２に係るロックコネクタは、請求項１記載のロックコネクタにおいて、前記ロック解除部が前記ロックアームに押接するロックアーム撓ませ方向の傾斜面を有することを特徴とする。
【００１２】
上記構成により、スライダのロック解除部の傾斜面でロックアームの例えば前端部を捕らえつつスライダの後退操作で傾斜面がロックアームの前端部に摺接しつつロックアームをロック解除方向にスムーズに撓ませる。
【００１３】
請求項３に係るロックコネクタは、請求項１又は２記載のロックコネクタにおいて、前記ロック解除部が可撓性のロック解除アームに設けられ、該ロック解除部が前記ロックアームを乗り越えて該ロックアームの前側に位置することを特徴とする。
【００１４】
上記構成により、コネクタハウジングへのスライダの装着に際して、スライダを前進させつつロック解除アームが撓んでロック解除部がコネクタハウジングのロックアームを乗り越える。
【００１５】
請求項４に係るロックコネクタは、請求項１〜３の何れかに記載のロックコネクタにおいて、前記スライダの前記ロック解除部が前記ロックアームの側方に位置して該ロックアームを側方に撓ませ可能であることを特徴とする。
【００１６】
上記構成により、スライダの後退操作でロック解除部がロックアームを側方（横方向ないし水平方向）に撓ませて他方のコネクタハウジングのロック部との係合を解除させる。ロックアームはコネクタハウジングの壁部に沿って平行に撓み変位する。
【００１７】
請求項５に係るロックコネクタは、請求項１又は２記載のロックコネクタにおいて、前記ロック解除部が可撓性のロック解除アームに設けられ、該ロック解除アームが前記ロックアームのロック解除撓み反対側に入り込んで、該ロック解除部が該ロックアームの前側に位置することを特徴とする。
【００１８】
上記構成により、スライダをコネクタハウジングに装着すると同時に、ロック解除アームがロックアームをロック解除方向に撓ませつつロックアームのロック解除撓み反対側すなわちコネクタハウジングとロックアームとの間に入り込む。ロック解除アームによってロックアームのロック解除反対方向の撓みが阻止される。スライダ装着後の作用（ロック解除動作）は前記同様であり、ロックアームの前側に位置したロック解除部がスライダの後退に伴ってロックアームをロック解除方向に持ち上げて他方のコネクタハウジングのロック部との係合を解除させる。他方のコネクタハウジングにはロック解除アームの進入するスリット部や溝部といった進入部を設けておくことが好ましい。
【００１９】
請求項６に係るロックコネクタは、請求項１〜５の何れかに記載のロックコネクタにおいて、前記スライダが復帰用の弾性部材を有し、該スライダの後退時に前記一方のコネクタハウジングの突起に該弾性部材が押接することを特徴とする。
【００２０】
上記構成により、ロック解除でスライダを後退させた際に、弾性部材がコネクタハウジングの突起に引っ掛かり、コネクタハウジングに対してスライダを前進復帰させる弾性力を発揮し、スライダが原位置に自動的に戻される。弾性部材としては、弾性アームや略環状ないし半環状の弾性帯等が好適である。
【００２１】
請求項７に係るロックコネクタは、請求項６記載のロックコネクタにおいて、前記弾性部材が弾性アームであり、前記スライダの後退時に前記突起の前側の傾斜面に該弾性アームが押接することを特徴とする。
【００２２】
上記構成により、スライダの後退時に弾性アームがコネクタハウジングの突起の前側の傾斜面に弾性的に押接して、コネクタハウジングに対してスライダを前進させる力が付与され、その力でスライダが原位置に復帰する。
【００２３】
請求項８に係るロックコネクタは、請求項１〜７の何れかに記載のロックコネクタにおいて、前記スライダが前記一方のコネクタハウジングの外周を覆う部材であることを特徴とする。
【００２４】
上記構成により、作業者がコネクタを把持した状態すなわちスライダを両側から把持した状態でコネクタ離脱方向に引っ張るだけの簡単な操作で、両コネクタのロックが解除されて両コネクタが離脱される。コネクタとはコネクタハウジング内に端子を収容した状態のものである。
【発明の効果】
【００２５】
請求項１記載の発明によれば、従来のロックコネクタに較べてスライダでロックアームをロック解除方向に撓ませるから、従来のロックアームの撓み操作部が不要となり、撓み操作部の大きなストロークに起因するコネクタハウジングの高さ方向の肥大化が防止されると共に、撓み操作部の長さに起因する奥行き方向の肥大化が防止されて、コンパクトなロックコネクタが提供される。
【００２６】
請求項２記載の発明によれば、ロック解除部の傾斜面に沿ってロックアームをスムーズにロック解除方向に撓ませることができ、コネクタのロック解除がスムーズ且つ確実に行われる。
【００２７】
請求項３記載の発明によれば、ロック解除アームの撓み動作でロック解除部をロックアームの前側にスムーズ且つ容易に配置することができ、コネクタハウジングへのスライダの装着作業性が向上する。
【００２８】
請求項４記載の発明によれば、ロックアームがコネクタハウジングに沿って平行に撓むことで、コネクタ高さ方向へのロックアームの撓みスペースが削減され、コネクタハウジングのコンパクト化が促進される。
【００２９】
請求項５記載の発明によれば、ロック解除アームでロックアームのロック解除反対方向の撓みが阻止されるから、ロックアームに無理な撓みが作用せず、ロックアームの弾性が長期に渡って確保され、コネクタロックの信頼性が高まる。
【００３０】
請求項６記載の発明によれば、ロック解除時にスライダを後退させた際に、弾性部材がスライダを原位置に復帰させるから、作業者がスライダを戻す手間が省け、ロック解除作業が容易化する。
【００３１】
請求項７記載の発明によれば、簡易な構造の弾性アームでスライダを復帰させることができ、スライダの復帰構造の形成が容易化・低コスト化される。
【００３２】
請求項８記載の発明によれば、スライダを把持してコネクタ離脱方向に引っ張るという簡単な操作で雄・雌両コネクタを簡単に離脱させることができ、コネクタの離脱作業性が向上する。
【発明を実施するための最良の形態】
【００３３】
図１〜図３は、本発明に係るロックコネクタの第一の実施形態を示すものである。
【００３４】
このロックコネクタ８１は、一方のコネクタ１又は一方のコネクタ１と他方（相手側）のコネクタ２で構成される（本発明は主に一方のコネクタ１に関するものである）。図１〜図２においては両コネクタ１，２の嵌合状態を示している。
【００３５】
一方のコネクタ１は、片持ちの可撓性のロックアーム３を有する合成樹脂製のコネクタハウジング４と、コネクタハウジング４の外側にスライド自在に装着された合成樹脂製のロック解除部材であるスライダ５と、コネクタハウジング４の後部開口６からコネクタハウジング４内に装着されるマットシール７と、コネクタハウジング内のマットシール７を後方から押圧する合成樹脂製のシールホルダ８とを備えている。
【００３６】
一方のコネクタハウジング４へのスライダ５やマットシール７やシールホルダ８の装着は両コネクタ１，２の嵌合前に行われる。コネクタ１，２は各コネクタハウジング４，１０に電線付きの端子（図示せず）が収容された状態を言う。
【００３７】
他方のコネクタ２は、ロックアーム３に係合するロック突起（ロック部）１１をコネクタハウジング１０の周壁１２の外面に有している。ロック突起１１はコネクタ嵌合方向前側の傾斜面１１ａ（図２）と後側の係止面１１ｂを有している。周壁１２内のコネクタ嵌合室１３に一方のコネクタ１の前半側の端子収容部１４（図１）が嵌合している。端子収容部１４には複数の端子収容室（図示せず）が設けられ、端子収容室に電線付きの雌端子（図示せず）が装着される。コネクタ嵌合室１３には、他方のコネクタハウジング１０の端子収容部１５（図１）に収容された雄端子（図示せず）のタブ状接触部が突出して位置する。
【００３８】
ロックアーム３は一方のコネクタハウジング４の周壁の水平な一壁部（上壁）１６に設けられ、ロックアーム３の幅方向中央の孔部１７にロック突起１１が係合し、ロックアーム３の前端（先端）の内向きの傾斜面１８の前側に近接してスライダ５のロック解除突起（ロック解除部）１９が位置している。ロック解除突起１９はロックアーム前端の傾斜面１８に沿う後端の外向きの傾斜面２０ａ（図３）と、傾斜面２０ａにほぼ平行な前端の内向きの傾斜面２０ｂとを有している。ロック解除突起１９はスライダ５の前端内側に配設されている。
【００３９】
ロックアーム３は図３の如く略コの字枠状に形成され、内側に矩形状の孔部１７を有し、孔部１７の前端がロック突起１１の垂直な係止面に対する当接面２１となり、当接面２１の前側に連結壁２２が続き、連結壁２２の前端に傾斜面１８（図１）が形成されている。図１の如くロックアーム３の基部（後端）は内向きにほぼ垂直に屈曲してコネクタハウジング４の長手方向中間部（前半の端子収容部１４と後半のシール・シールホルダ収容部２３との間）において上壁１６に交差して一体に続いている。
【００４０】
後半の収容部２３には、正面視矩形状のマットシール７とシールホルダ８とが前後に密着して収容されている。マットシール７は端子付きの各電線を挿通密着させる断面円形の各孔部（図示せず）を有し、シールホルダ８は図３の如く端子付き電線を挿通させる断面矩形状の孔部２４をシールマット７の孔部と同軸に有している。孔部２４は縦横の隔壁で区画されて複数段に並列に形成されている。図１の如くマットシール７とシールホルダ８とは同程度の板厚を有している。マットシール７は外周にリップ部を有している。
【００４１】
スライダ５は、一方のコネクタハウジング４の後半部の外側を取り囲む（覆う）ように断面略矩形筒状に形成され、コネクタハウジング４の後半部にコネクタ嵌合離脱方向スライド自在に係合している。スライダ５の上壁２５は下壁２６よりも前方に長く延長されている。
【００４２】
スライダ５の上壁２５の前端内側にコネクタハウジング４のロックアーム３をロック解除させるロック解除突起１９が配設されている。上壁２５の幅方向中央に断面逆凹字状の保護壁２８（図３）が一体に膨出形成され、上壁２５の前半おいて保護壁２８にロックアーム３の前半を露出させる開口（凹部）２７（図３）が設けられ、開口２７内でロックアーム３がロック解除方向（上方向）に撓み可能となっている。保護壁内でロックアーム３の後半部が外部との干渉等なく保護されている。ロック解除突起１９は例えば保護壁２８の垂直な側壁３０（図３）の内面に一体に形成され、保護壁内で側壁３０の内面から内向きに突出している。
【００４３】
なお、本明細書で上下左右の方向は説明の便宜上のものであり、コネクタの実使用方向とは必ずしも一致するものではない。また、ロック解除突起１９は側壁３０に限らず後述の実施形態のように他の部位（例えば可撓性のアームの前端内側等）に設けられてもよい。
【００４４】
スライダ５の後端にストッパ用の突片２９（図３）が内向きに複数設けられ、各突片２９がコネクタハウジング４の後端に当接してそれ以上のスライダ５の前進が阻止される。突片２９はスライダ５の前進端位置を規制する。なお、明細書で前とはコネクタ嵌合方向を言い、後とはコネクタ離脱方向を言う。
【００４５】
図１はスライダ５の初期状態、図２〜図３はスライダ５の後退操作状態を示している。図３は一方のコネクタ１のみ（非嵌合状態）を示している。各図においてシールホルダ８はコネクタハウジング４の後部開口６から収容室２３内に押し込まれて、係止突起３６（図１）が係合孔７５に係止されている。
【００４６】
図１においてスライダ５とシールホルダ８との間で突片２９の前端面にコネクタハウジング４の収容部２３の周壁の後端が当接している。スライダ５はコネクタハウジング４の下壁の可撓性のアーム３５の突起３５ａによって後抜けを防止されている。この後抜け防止構造については図１４で詳述する。
【００４７】
シールホルダ８はマットシール７を圧縮してコネクタハウジング４の収容部２３の内壁面に弾性的に密着させつつ、電線挿通孔内の電線の外周面に密着して、コネクタ１内への水の浸入を防止する。マットシール７の完全装着前又は完全装着後にコネクタハウジング４内に電線付きの端子が収容されてコネクタ１を構成する。
【００４８】
スライダ５は図１の状態から後方にスライドさせることで、図２〜図３の如くスライダ前端のロック解除突起１９がコネクタハウジング４のロックアーム３の前端の傾斜面１８に当接しつつロックアーム３を外向き（上向き）に撓ませて相手側コネクタハウジング１０のロック突起１１から離脱させる。これにより、両コネクタ１，２のロックが解除され、両コネクタ１，２を離脱方向に引くことで、両コネクタ１，２の嵌合すなわち雄・雌両端子の接続が解除される。
【００４９】
スライダ５のスライド操作は作業者がスライダ５の左右両側部分を手で把持して引っ張ることで簡単に行われ、何らコネクタハウジング４を把持することなく、両コネクタを簡単に離脱させることができる。
【００５０】
図１において符号４１は、コネクタハウジング４と相手側コネクタハウジング１０との間に密着する環状の防水パッキンを示している。相手側コネクタハウジング１０はワイヤハーネスの端末に配置されたり、機器等に直付けされたりする。
【００５１】
図４〜図６は、本発明に係るロックコネクタの第二の実施形態を示すものである。
【００５２】
このロックコネクタ８２は、第一の実施形態のロックコネクタに対して、一方のコネクタハウジング４にスライダ５を仮係止させる手段や、ロック解除突起１９を有するアーム３７を付加したものである。他の部位は第一の実施形態に類似又は同じであるので同一の符号を付けて詳細な説明を省略する。
【００５３】
図４は、可撓性の片持ちのロックアーム３を有する一方のコネクタハウジング４にロック解除用のスライダ５を装着する状態を示すものである。ロックアーム３はコネクタ嵌合方向に平行に延びる左右一対のアーム本体４１と、アーム本体４１の前端部（先端部）において一対のアーム本体４１の間に位置する係止部（連結部）２２と、各アーム本体４１の外面から突出した一対の傾斜状のガイド突部４２とを同一線上に有している。係止部２２は後端に垂直な仮係止面２１を有し、各ガイド突部４２は後側に上向きの傾斜面４６、前側に下向きの傾斜面１８をそれぞれ有している。係止部２２の内側空間１７に図５の他方のコネクタハウジング１０のロック突起１１が係合する。
【００５４】
スライダ５は、幅方向中央に可撓性の片持ちの仮係止アーム４３を有し、仮係止アーム４３の前端部よりもやや後方で左右両側に一対のロック解除突起１９を有している（図では一方のみ示す）。仮係止アーム４３は前端部下側に仮係止突起４４を有し、仮係止突起４４は後端に傾斜面４４ａを有し、前端部の左右に一対の追従突起４５を有している。
【００５５】
ロック解除突起１９は少なくとも後側に上向きの傾斜面２０ａを有している。ロック解除突起１９はコネクタ嵌合方向の可撓性の片持ちのロック解除アーム３７の前端内面に一体に形成されている。仮係止アーム４３の前側上部にスライダ５の前端の保護ブリッジ４７が位置し、保護ブリッジ４７は左右両側の保護リブ４８に一体に続いている。
【００５６】
図５はスライダ５を一方のコネクタハウジング４に仮係止させ、ロック突起（ロック部）１１を有する他方のコネクタハウジング１０に一方のコネクタハウジング４を嵌合させる状態を示している。スライダ５は仮係止アーム４３の仮係止突起４４がロックアーム３の係止面２１（図４）に当接して仮係止され、その状態で図６の如く両コネクタハウジング４，１０が嵌合され、ロック突起１１がロックアーム３内に係合することで、仮係止アーム４３の仮係止突起４４が持ち上げられてスライダ５が前進可能となる。
【００５７】
図６の如くスライダ５が前進すると同時に、仮係止アーム４３がロックアーム３を乗り越えつつ、左右のロック解除突起１９がロック解除アーム３７と一体に上向きに撓んでロックアーム３のガイド突起４２を乗り越えてガイド突起４２の前側に位置する。これにより、スライダ５が本係止される。
【００５８】
その状態でスライダ５を後退させることで、ロック解除突起１９がガイド突起４２の前面に当接しつつロックアーム３をロック解除方向に持ち上げる。それにより、両コネクタハウジング４，１１のロックが解除される。スライダ５は仮係止位置に後退する。両コネクタハウジング内には雄・雌端子が収容されていることは言うまでもない。
【００５９】
図７は、本発明に係るロックコネクタの第三の実施形態を示すものである。第一の実施形態と同一又は類似の部分には同じ符号を付して詳細な説明を省略する。
【００６０】
このロックコネクタ８３は、一方のコネクタハウジング４のロックアーム３を上下ではなく左右に撓み可能としたことを特徴とするものである。スライダ５のロック解除突部（ロック解除部）１９はロックアーム３の側方に位置してロックアーム３を側方（横ないし水平方向）に撓ませ可能である。
【００６１】
ロックアーム３は左右一対設けられ、各ロックアーム３は片持ち支持された後端部を支点として外向き（左右方向）に撓み可能である。各ロックアーム３の先端部は内向きに略Ｌ字状に屈曲され、屈曲先端部がロック突部４９として作用し、各ロック突部４９の内側に他方のコネクタハウジング４の各ロック突起（ロック部）１１が係合して両コネクタハウジング４，１０の嵌合状態を得ている。一対のロックアーム３の間にロック解除用のスライダ５のロック解除アーム５０が位置し、ロック解除アーム５０の先端のロック解除突部１９は左右両側で後側の傾斜面２０ａを有し、スライダ５の前進端位置で傾斜面２０ａがロック突部４９の先端に接している。
【００６２】
スライダ５を鎖線の位置まで後退させることで、ロック解除突部１９の傾斜面２０ａがロックアーム３の先端に摺接しつつロックアーム３を水平面上で外向き（ロック解除方向）に撓ませて、ロック突起１１との係合を解除させる。
【００６３】
その他の構成は第一，第二の実施形態と同様であるので、詳細な説明を省略する。スライダ５は前例同様に矩形筒状を呈してコネクタハウジング４の外周を覆うものである。図７において、一方のコネクタハウジング４の左右の壁部には、スライダ５の左右のアーム２６の前端の突起４０に摺接される略三角形状の突起３９が設けられている。この構造については図１２で詳しく後述する。図７で符号４１は防水パッキンを示す。
【００６４】
なお、図７の形態において、スライダ５のロック解除突部１９を可撓性のロック解除アーム５０の前端に設け、第二の実施形態（図４）のロック解除アーム３７と同様にロック解除突部１９をロックアーム３の前端部４９を乗り越えてアーム前端部４９の前方に位置させるようにすることも可能である。また、ロックアーム３やロック突起１１やロック解除突部１９の傾斜面２０ａは各一対ではなく各一つであってもよい。
【００６５】
図８〜図１１は、本発明に係るロックコネクタの第四の実施形態を示すものである。第１の実施形態と同じ又は類似の部分には同一の符号を付して詳細な説明を省略する。
【００６６】
このロックコネクタ８４は、スライダ５の一部を一方のコネクタハウジング４のロックアーム３の下側（内側）に入り込ませてロックアーム３の下向き（内向き）の撓みを阻止したことを特徴とするものである。
【００６７】
図８は一方のコネクタハウジング４とスライダ５を分離した状態、図９は、スライダ５を一方のコネクタハウジング４に装着（仮係止）させた状態を示している。図８の如く、コネクタハウジング４は幅広な後半の収容部２３と幅狭な前半の収容部１４とを有し、後半の収容部２３に略矩形筒状のスライダ５がスライド自在に装着される。後半の収容部２３の前端側から略コの字状の可撓性のロックアーム３が前方に突出形成されている。
【００６８】
スライダ５には上壁２５の前端側から前方に可撓性のロック解除アーム５１が突出形成され、ロック解除アーム５１は前端にロック解除突起１９を有し、ロック解除突起１９は前後両端に上向きの傾斜面２０ａ，２０ｃを有している。ロック解除アーム５１のロック解除突起１９の後方には凹部５２が形成されている。ロック解除アーム５１の後端（基端）側は上向きの傾斜辺部５３で上壁２５の中央の突出壁５４に一体に続き、図９の如く突出壁５４の両側の切欠部分５５にロックアーム３の後端部（基部）が進入する。ロック解除突起１９と傾斜辺部５３との間に逆台形状の凹部５２が形成されている。
【００６９】
図９において、ロック解除アーム５１はロックアーム３の下側に潜り込んで位置し、ロックアーム３の前端のロック辺部２２がロック解除アーム５１の凹部５２（図８）に係合している。コネクタハウジング４の係止突起５６がスライダ５の溝部５７の長手方向中間部に係合している。
【００７０】
他方のコネクタハウジング１０には、ロック解除アーム５１に対する進入用のスリット部５８と、スリット部５８の左右両側でロックアーム３に対する一対のロック突起（ロック部）１１とが設けられている。一方のコネクタハウジング４内には電線付きの雌端子（図示せず）が収容され、他方のコネクタハウジング１０内には雄端子（図示せず）が収容されて、各コネクタを構成する。
【００７１】
一方のコネクタハウジング４の後部には防水マットシールとシールホルダ（図示せず）とが装着され、スライダ５の後端には一方のコネクタハウジング４の後端に当接するストッパ用の突片２９（図３）が設けられていることは前例同様である。
【００７２】
図１０は、一方のコネクタハウジング４を他方のコネクタハウジング１０の内側に嵌合させた状態を示している。ロック突起１１はロックアーム３の内側に係合し、ロック解除アーム５１はスリット部５８内に進入係合している。他方のコネクタハウジング１０の上壁の外面上でロック突起１１とロック解除突起１９との間にロックアーム３の前辺部２２が係合している。
【００７３】
図１１は、スライダ５を後退させて両コネクタハウジング４，１０のロック解除を行う状態を示している。スライダ５の後退操作は両側の操作突部５９を指で摘んで行う。スライダ５の後退操作によってロック解除突起１９がロックアーム３をロック解除方向に持ち上げてロック突起１１との係合を解除させる。その状態で両コネクタハウジング４，１０を後方に引くことで、両コネクタハウジング４，１０が離脱される。
【００７４】
本実施形態によれば、ロック解除アーム５１がロックアーム３の下側に入り込んでロックアーム３の下向き（ロック解除反対方向）の変形を防止するから、ロックアーム３の弾性へたりや破損等が確実に防止される。また、ロック解除アーム５１がロックアーム３の下面に弾性的に密着した状態でスライダ５の後退操作が行われ、ロック解除突起１９が確実にロックアーム３を持ち上げてロック解除を精度良く確実に行わせる。
【００７５】
図１２〜図１５は、上記図３（第一の実施形態）のロックコネクタにおけるスライダ５の後退操作後に自動的にスライダ５が前進端位置に復帰する構造等を示すものである。この構造は第一の実施形態に限らず第二〜第四の実施形態においても適用可能なものである。
【００７６】
図１２はロックコネクタの横断面図を示すものであり、コネクタハウジング４の左右の側壁６０に復帰用の突起３９が設けられ、スライダ５の左右の側壁７２（図１４）に、突起３９に摺動する復帰用の可撓性の弾性アーム（弾性部材）２６が設けられている。突起３９は前後に傾斜面３９ａ，３９ｂを有している。弾性アーム２６は図３にも示す如くスライダ５の後端側の操作突部５９の前方に突出形成され、前端側に復帰用の突起４０を有している。突起４０は後側に傾斜面４０ａを有している。
【００７７】
図１２は図３と同様にスライダ５を後退させた状態であり、図１３はスライダ５の初期位置（前進位置）の状態を示している。図１３の如くスライダ５の前進位置でコネクタハウジング４の突起３９の前側の傾斜面３９ａが弾性アーム２６の突起４０の後側の傾斜面４０ａに接している。
【００７８】
その状態から図１２の如くスライダ５を後退させることで、弾性アーム２６の突起４０の傾斜面４０ａがコネクタハウジング４の突起３９の前側の傾斜面３９ａに乗り上げると共に、ロック解除手段１９（図３）で両コネクタハウジング４，１０のロック解除が行われ、例えば両コネクタハウジング４，１０を離脱させた後、作業者がスライダ５から手を離すことで、弾性アーム２６の内向きの弾性力で（アーム２６が内向きに復元しようとする力で）、相対的にコネクタハウジング４の突起３９が後方に押され、その力でスライダ５が図１３の如く前方に復帰する。
【００７９】
スライダ５を強く引っ張っても、図１４に示す抜け防止手段によってスライダ５の後抜けが阻止される。抜け防止手段は、コネクタハウジング４の下壁の外面に設けられた突起３５ａを有する可撓性のアーム３５（図１）と、スライダ５の下壁に設けられたスリット部７３とで構成され、突起３５ａがスリット部７３の前端面に当接してそれ以上のスライダ５の後退が阻止される。
【００８０】
突起３５ａは前側の垂直な係止面と後側の傾斜面を有している。図１４でスライダ５は前進端（初期）位置にあり、スリット部７３の長手方向中間部に突起３５ａが位置している。図１４のスライダ抜け防止手段は第一の実施形態に限らず第二〜第四の実施形態においても適用可能である。
【００８１】
図１５は、図１２の弾性アーム２６に代えて略環状ないし半環状の弾性帯（弾性部材）７４をスライダ５の下壁に設けた例を示すものである。弾性帯７４は図１５で実線で示す形状（略縦長の長円形）に復帰する弾性力を有している。弾性帯７４はコネクタハウジング４の下壁の突起３９の周りを囲んで、突起３９の前側の垂直な係止面３９ｃに接している。
【００８２】
スライダ５を後退させることで、弾性帯７４が復元力に抗して横長に延び、スライダ５から手を離すことで、弾性帯７４の復元力でスライダ５が前進して初期位置に復帰し、弾性帯７４は実線の縦長形状に復元する。
【００８３】
なお、弾性帯７４の初期形状は縦長に限らず円形等であってもよく、また、図１２の弾性アーム２６や図１５の弾性帯７４の位置は下壁に限らず側壁等であってもよく、数も一つではなく複数設定してもよい。図１５のスライダ復帰手段は第一の実施形態に限らず第二〜第四の実施形態においても適用可能である。
【図面の簡単な説明】
【００８４】
【図１】本発明に係るロックコネクタの第一の実施形態を示す縦断面図である。
【図２】同じくロックコネクタのロック解除状態を示す縦断面図である。
【図３】同じくロックコネクタを示すコネクタ嵌合前の斜視図である。
【図４】本発明に係るロックコネクタの第二の実施形態を示す分解斜視図である。
【図５】同じくロックコネクタのコネクタ嵌合前の組立状態を示す分解斜視図である。
【図６】同じくロックコネクタのコネクタ嵌合状態を示す斜視図である。
【図７】本発明に係るロックコネクタの第三の実施形態を示す横断面図である。
【図８】本発明に係るロックコネクタの第四の実施形態を示す分解斜視図である。
【図９】同じくロックコネクタのコネクタ嵌合前の組立状態を示す分解斜視図である。
【図１０】同じくロックコネクタのコネクタ嵌合状態を示す斜視図である。
【図１１】同じくロックコネクタのロック解除状態を示す斜視図である。
【図１２】本発明に係るロックコネクタのスライダ復元機構を示す横断面図である。
【図１３】同じくスライダ復元機構の初期状態を示す要部横断面図である。
【図１４】スライダ抜け防止機構を有するロックコネクタの下方視斜視図である。
【図１５】スライダ復元機構の他の形態を示す平面図である。
【図１６】従来のロックコネクタの一形態を示す内部を切欠した斜視図である。
【符号の説明】
【００８５】
３          ロックアーム
４          一方のコネクタハウジング
５          スライダ
１０        他方のコネクタハウジング
１１        ロック突起（ロック部）
１９        ロック解除突起（ロック解除部）
２０ａ      傾斜面
２６        弾性アーム（弾性部材）
３７，５１  ロック解除アーム
３９        突起
３９ａ      前側の傾斜面
７４        弾性帯（弾性部材）
８１〜８４  ロックコネクタ
【図１】
2006216434.tif 000003
【図２】
2006216434.tif 000004
【図３】
2006216434.tif 000005
【図４】
2006216434.tif 000006
【図５】
2006216434.tif 000007
【図６】
2006216434.tif 000008
【図７】
2006216434.tif 000009
【図８】
2006216434.tif 000010
【図９】
2006216434.tif 000011
【図１０】
2006216434.tif 000012
【図１１】
2006216434.tif 000013
【図１２】
2006216434.tif 000014
【図１３】
2006216434.tif 000015
【図１４】
2006216434.tif 000016
【図１５】
2006216434.tif 000017
【図１６】
2006216434.tif 000018